(57)【要約】【課題】複数種類の生地を非直線状に吊下支持するスラットを容易に組立て可能とする縦型ブラインドのスラットハンガーを提供する。【解決手段】ハンガーレール１に支持されたランナー３に取着されて、スラット２を吊下支持する縦型ブラインドのスラットハンガーにおいて、スラットハンガーは、第一の吊下板１２ａと第二の吊下板１２ｂとで構成し、第一の吊下板１２ａの少なくとも一端に第二の吊下板１２ｂを取着し、第一の吊下板１２ａと第二の吊下板１２ｂとで、スラットを構成する第一の生地１７ａ及び第二の生地１７ｂをそれぞれ非直線状に吊下支持可能とした。【選択図】図４
2008045285.tif 000002
【特許請求の範囲】
【請求項１】
ハンガーレールに多数のランナーを支持し、前記各ランナーからそれぞれスラットを回動可能に吊下支持し、前記ハンガーレールに設けられる操作装置で前記スラットを回動操作可能とした縦型ブラインドにおいて、
前記スラットは、前記ランナーに吊下支持される第一の吊下板から第一の生地を吊下支持し、前記第一の吊下板の少なくとも一端に取着される第二の吊下板から第二の生地を非直線状に吊下支持したことを特徴とする縦型ブラインド。
【請求項２】
前記第二の吊下板を前記第一の吊下板の両端に取着し、前記第一の吊下板を前記ランナーに吊下支持したことを特徴とする請求項１記載の縦型ブラインド。
【請求項３】
前記第二の吊下板から光を一部透過させる半透過性を備えた第二の生地を吊下支持し、前記第一の吊下板から遮光性を備えた第一の生地を吊下支持し、前記第二の吊下板を前記第一の吊下板の両端に取着して、互いに逆方向に延設したことを特徴とする請求項１又は２記載の縦型ブラインド。
【請求項４】
前記第一の吊下板と第二の吊下板とを着脱可能に連結したことを特徴とする請求項１乃至３のいずれか１項に記載の縦型ブラインド。
【請求項５】
前記第一の吊下板と第二の吊下板とを回動可能に連結するとともに、該第一の吊下板と第二の吊下板とをその挟角が９０度を僅かに超える角度で保持可能としたことを特徴とする請求項４記載の縦型ブラインド。
【請求項６】
前記第一及び第二の生地にはそれぞれ第一及び第二のウェイト板を取着し、該第一及び第二のウェイト板を回動可能にかつ着脱可能に連結するとともに、前記第一の吊下板と第二の吊下板との挟角と同一角度で保持可能としたことを特徴とする請求項５記載の縦型ブラインド。
【請求項７】
ハンガーレールに支持されたランナーに取着されて、スラットを吊下支持する縦型ブラインドのスラットハンガーにおいて、
前記スラットハンガーは、第一の吊下板と第二の吊下板とで構成し、前記第一の吊下板の少なくとも一端に前記第二の吊下板を取着し、前記第一の吊下板と第二の吊下板とで、前記スラットを構成する第一の生地及び第二の生地をそれぞれ非直線状に吊下支持可能としたことを特徴とする縦型ブラインドのスラットハンガー。
【請求項８】
ハンガーレールに支持されたランナーに取着されて、スラットを吊下支持する縦型ブラインドのスラットハンガーにおいて、
前記スラットハンガーは、第一の吊下板と第二の吊下板とで構成し、前記第一の吊下板と第二の吊下板とを回動可能に連結し、一連に形成された第一及び第二の生地からなるスラットを直線状に回動した前記第一及び第二の吊下板に挿通して、該第一及び第二の生地を第一及び第二の吊下板にそれぞれ吊下支持可能としたことを特徴とする縦型ブラインドのスラットハンガー。
【請求項９】
前記第一の吊下板と第二の吊下板の一方に支軸を設け、他方には該支軸に嵌合する嵌合溝を設け、前記支軸に嵌合溝を弾性的に嵌合することにより、前記第一の吊下板と第二の吊下板とを着脱可能にかつ回動可能に連結したことを特徴とする請求項８記載の縦型ブラインドのスラットハンガー。
【請求項１０】
前記第一の吊下板を前記ランナーに吊下支持したことを特徴とする請求項７乃至９のいずれか１項に記載の縦型ブラインドのスラットハンガー。
【請求項１１】
ハンガーレールに支持されたランナーからスラットハンガーを介して吊下支持されるスラットの下端部に取着されるウェイト板において、
前記スラットハンガーから前記スラットとして吊下支持される独立した第一及び第二の生地の下端部にウェイト板をそれぞれ取着し、該ウェイト板を着脱可能に連結したことを特徴とする縦型ブラインドのウェイト板。
【請求項１２】
ハンガーレールに支持されたランナーからスラットハンガーを介して吊下支持されるスラットの下端部に取着されるウェイト板において、
前記ウェイト板は、前記スラットハンガーから前記スラットとして吊下支持される一連の第一及び第二の生地の下端部に取着可能とするとともに、第一及び第二の生地の境界部で回動可能としたことを特徴とする縦型ブラインドのウェイト板。
【請求項１３】
スラットハンガーを構成する第一の吊下板と第二の吊下板の長さに合わせた幅でスラットを構成する第一及び第二の生地を形成し、前記第一の吊下板と第二の吊下板に前記第一及び第二の生地を取着し、前記第一の吊下板と第二の吊下板とを非直線状に連結したことを特徴とする縦型ブラインドのスラット組立て方法。
【発明の詳細な説明】
【技術分野】
【０００１】
この発明は、複数種類の生地のスラットを吊下支持する縦型ブラインドに関するものである。
【背景技術】
【０００２】
縦型ブラインドは、ハンガーレール内を移動可能に支持された多数のランナーからそれぞれスラットが角度調節可能に吊下支持され、スラットをハンガーレールに沿って引き出し、かつスラットの角度を調節することにより、室内への採光量を適宜調節可能である。
【０００３】
スラットは、遮光性を備えた生地で構成されるとともに、操作装置の操作により同位相で角度調節される。
【特許文献１】特許第２６９５５４５号公報
【特許文献２】実用新案登録第２５４６８５４号公報
【特許文献３】実公平７−１４６２３号公報
【特許文献４】実公平２−１１５９６号公報
【発明の開示】
【発明が解決しようとする課題】
【０００４】
上記のような縦型ブラインドでは、各スラットを回動操作するときは、全閉状態時を除いて、各スラット間が素通しとなるため、室外から直射光が入射したり、あるいは室内の様子が露出されるという問題点がある。
【０００５】
そこで、縦型ブラインドにレース生地等のカーテンを併設して、スラットの回動操作時における上記問題点を解決しようとすると、縦型ブラインドに加えてカーテンを１台用意する必要があるとともに、当該カーテンを設置するための設置スペースを確保する必要がある。
【０００６】
特許文献１には、横型ブラインドのスラットを目の粗い布と、目の細かい布で形成して、そのスラットの角度を調節することにより、遮光状態と半透過状態を選択可能とした横型ブラインドが開示されているが、縦型ブラインドに応用するための構成は開示されていない。
【０００７】
特許文献２には、縦型ブラインドのカーテン本体片に対し、カーテン側片を回動可能に支持し、そのカーテン側片の角度を調節することにより、風通しを調整可能とした構成が開示されているが、遮光状態と半透過状態とを選択する構成は開示されていない。
【０００８】
また、カーテン本体片に対しカーテン側片を回動可能に取着する必要があるため、カーテンの組立て作業が煩雑となる。
特許文献３には、波形のルーバーフックを備えた縦型ブラインドが開示されているが、遮光状態と半透過状態を選択可能とする構成は開示されていない。また、ルーバーも波形に形成されるため、平板状のスラットを吊下支持する縦型ブラインドに直ちに応用することはできない。
【０００９】
特許文献４には、縦型ブラインドのスラットハンガーが開示されている。
この発明の目的は、複数種類の生地を非直線状に吊下支持するスラットを容易に組立て可能とする縦型ブラインドのスラットハンガーを提供することにある。また、複数種類の生地が非直線状に吊下支持されるスラットに容易に取着可能としたウェイト板を提供することにある。また、複数種類の生地を非直線状に吊下支持するスラットを容易に組み立て得る組立て方法を提供することにある。
【課題を解決するための手段】
【００１０】
請求項１では、ハンガーレールに多数のランナーを支持し、前記各ランナーからそれぞれスラットを回動可能に吊下支持し、前記ハンガーレールに設けられる操作装置で前記スラットを回動操作可能とした縦型ブラインドにおいて、前記スラットは、前記ランナーに吊下支持される第一の吊下板から第一の生地を吊下支持し、前記第一の吊下板の少なくとも一端に取着される第二の吊下板から第二の生地を非直線状に吊下支持した。
【００１１】
請求項２では、前記第二の吊下板を前記第一の吊下板の両端に取着し、前記第一の吊下板を前記ランナーに吊下支持した。
請求項３では、前記第二の吊下板から光を一部透過させる半透過性を備えた第二の生地を吊下支持し、前記第一の吊下板から遮光性を備えた第一の生地を吊下支持し、前記第二の吊下板を前記第一の吊下板の両端に取着して、互いに逆方向に延設した。
【００１２】
請求項４では、前記第一の吊下板と第二の吊下板とを着脱可能に連結した。
請求項５では、前記第一の吊下板と第二の吊下板とを回動可能に連結するとともに、該第一の吊下板と第二の吊下板とをその挟角が９０度を僅かに超える角度で保持可能とした。
【００１３】
請求項６では、前記第一及び第二の生地にはそれぞれ第一及び第二のウェイト板を取着し、該第一及び第二のウェイト板を回動可能にかつ着脱可能に連結するとともに、前記第一の吊下板と第二の吊下板との挟角と同一角度で保持可能とした。
【００１４】
請求項７では、ハンガーレールに支持されたランナーに取着されて、スラットを吊下支持する縦型ブラインドのスラットハンガーにおいて、前記スラットハンガーは、第一の吊下板と第二の吊下板とで構成し、前記第一の吊下板の少なくとも一端に前記第二の吊下板を取着し、前記第一の吊下板と第二の吊下板とで、前記スラットを構成する第一の生地及び第二の生地をそれぞれ非直線状に吊下支持可能とした。
【００１５】
請求項８では、ハンガーレールに支持されたランナーに取着されて、スラットを吊下支持する縦型ブラインドのスラットハンガーにおいて、前記スラットハンガーは、第一の吊下板と第二の吊下板とで構成し、前記第一の吊下板と第二の吊下板とを回動可能に連結し、一連に形成された第一及び第二の生地からなるスラットを直線状に回動した前記第一及び第二の吊下板に挿通して、該第一及び第二の生地を第一及び第二の吊下板にそれぞれ吊下支持可能とした。
【００１６】
請求項９では、前記第一の吊下板と第二の吊下板の一方に支軸を設け、他方には該支軸に嵌合する嵌合溝を設け、前記支軸に嵌合溝を弾性的に嵌合することにより、前記第一の吊下板と第二の吊下板とを着脱可能にかつ回動可能に連結した。
【００１７】
請求項１０では、前記第一の吊下板を前記ランナーに吊下支持した。
請求項１１では、ハンガーレールに支持されたランナーからスラットハンガーを介して吊下支持されるスラットの下端部に取着されるウェイト板において、前記スラットハンガーから前記スラットとして吊下支持される独立した第一及び第二の生地の下端部にウェイト板をそれぞれ取着し、該ウェイト板を着脱可能に連結した。
【００１８】
請求項１２では、ハンガーレールに支持されたランナーからスラットハンガーを介して吊下支持されるスラットの下端部に取着されるウェイト板において、前記ウェイト板は、前記スラットハンガーから前記スラットとして吊下支持される一連の第一及び第二の生地の下端部に取着可能とするとともに、第一及び第二の生地の境界部で回動可能とした。
【００１９】
請求項１３では、スラットハンガーを構成する第一の吊下板と第二の吊下板の長さに合わせた幅でスラットを構成する第一及び第二の生地を形成し、前記第一の吊下板と第二の吊下板に前記第一及び第二の生地を取着し、前記第一の吊下板と第二の吊下板とを非直線状に連結した。
【発明の効果】
【００２０】
本発明によれば、複数種類の生地を非直線状に吊下支持するスラットを容易に組立て可能とする縦型ブラインドのスラットハンガーを提供することができる。また、複数種類の生地が非直線状に吊下支持されるスラットに容易に取着可能としたウェイト板を提供することができる。また、複数種類の生地を非直線状に吊下支持するスラットを容易に組み立て得る組立て方法を提供することができる。
【発明を実施するための最良の形態】
【００２１】
（第一の実施の形態）
以下、この発明を具体化した縦型ブラインドの一実施の形態を図面に従って説明する。図１及び図２に示す縦型ブラインドは、ハンガーレール１から多数枚のスラット２が吊下支持され、各スラット２は、図３及び図４に示すように、ハンガーレール１内に移動可能に支持されるランナー３から吊下支持される。
【００２２】
各ランナー３には、３条のスプラインが刻設されたチルト軸４が軸方向に相対移動可能に挿通され、そのチルト軸４の両端はハンガーレール１の両端に取着されるエンドキャップ５ａ，５ｂに回転可能に支持されている。
【００２３】
前記各ランナー３には前記スラット２を吊下支持する吊下軸６が回転可能に支持され、その吊下軸６の下端部に前記スラット２を吊下支持するフック７が設けられている。また、前記ランナー３内には前記チルト軸４の回転にともなって前記吊下軸６を回転させるウォーム機構８が内蔵されている。
【００２４】
前記ハンガーレール１の一端には操作棒（操作装置）９が吊下支持され、その操作棒９を回転させると、エンドキャップ５ａ内に配設されるギヤ機構（図示しない）を介して前記チルト軸４が回転される。そして、チルト軸４の回転にともなって各ランナー３の吊下軸６が回転され、各ランナー３に吊下支持されるスラット２が同位相で回動されるようになっている。
【００２５】
前記エンドキャップ５ａから垂下される操作コード１０は、前記ハンガーレール１内を周回可能に配設され、前記ランナー３のうち例えば最もエンドキャップ５ａ側に垂下される先頭ランナーに取着されている。また、各ランナー３はスペーサー１１で連結され、各ランナー３の最大離間距離が設定されている。
【００２６】
従って、操作コード１０を操作して先頭ランナーを移動させれば、その先頭ランナーに追随して後続のランナーが順次引き出され、あるいは後続のランナーが先頭ランナーにより順次押し戻される。このような動作により、各ランナー３に吊下支持されたスラット２がハンガーレール１に沿って引き出され、あるいはハンガーレール１の他端側に畳み込まれる。
【００２７】
次に、前記スラット２の具体的構成を説明する。各スラット２の生地を吊下支持するスラットハンガー１２は合成樹脂で成型され、図５に示すように、中央に位置する第一の吊下板１２ａと、その第一の吊下板１２ａの左右両端部に対称状に取着される第二の吊下板１２ｂとで構成される。
【００２８】
前記第一の吊下板１２ａの中間部には、前記フック７に掛止め可能とした掛止め部１３が形成されている。また、第一の吊下板１２ａの両側端部には、上下方向に支軸１４が形成されている。
【００２９】
前記第二の吊下板１２ｂの一端部には、前記支軸１４に弾性的に嵌合可能とした嵌合溝１５を備えた嵌合部１６が形成されている。そして、第一の吊下板１２ａの側方から支軸１４に嵌合溝１５を弾性的に嵌合することより、第一の吊下板１２ａの両端部に第二の吊下板１２ｂを取着可能となっている。
【００３０】
また、第二の吊下板１２ｂはその嵌合部１６が支軸１４に回動可能に支持され、常には図６に示す状態まで互いに逆方向に回動されている。このとき、嵌合部１６の先端部が支軸１４と第一の吊下板１２ａ端部との間に形成される溝に係合して、第二の吊下板１２ｂは図６に示す角度に安定して保持される。この角度は、第一の吊下板１２ａと第二の吊下板１２ｂとの挟角が９０度を僅かに超える角度となるように設定されている。
【００３１】
前記第一及び第二の吊下板１２ａ，１２ｂには、それぞれ独立したスラット生地が吊下支持されて、前記スラット２が形成される。第一の吊下板１２ａには遮光性を備えた第一の生地１７ａが吊下支持される。第一の生地１７ａにはその上端部を折り返して縫製した袋状部１８ａが形成され、その袋状部１８ａに第一の吊下板１２ａが挿通されている。なお、袋状部１８ａには前記掛止め部１３を露出するための切り欠き部２０が形成されている。
【００３２】
前記第二の吊下板１２ｂには、レース生地で構成される第二の生地１７ｂが吊下支持される。この第二の生地１７ｂには、その上端部に第一の生地１７ａと同様な袋状部１８ｂがそれぞれ設けられ、その袋状部１８ｂに第二の吊下板１２ｂが挿通される。
【００３３】
前記第一及び第二の生地１７ａ，１７ｂの下端部には、図７に示すウェイト板２１ａ，２１ｂが挿入される。すなわち、第一及び第二の生地１７ａ，１７ｂはその下端部を上方へ折り返して縫製した袋状部２２ａ，２２ｂが形成され、各袋状部２２ａ，２２ｂにウェイト板２１ａ，２１ｂをそれぞれ挿入可能である。また、ウェイト板２１ａ，２１ｂは、前記第一及び第二の吊下板１２ａ，１２ｂと同様な構成により連結可能であり、図７に示す角度で安定して保持されるようになっている。この角度は、図６に示す第一及び第二の吊下板１２ａ，１２ｂの角度と同一である。
【００３４】
このように構成された第一及び第二の吊下板１２ａ，１２ｂと、ウェイト板２１ａ，２１ｂと、第一及び第二の生地１７ａ，１７ｂとでスラット２を構成するには、図８に示すように、第一及び第二の吊下板１２ａ，１２ｂ及びウェイト板２１ａ，２１ｂを分解する。
【００３５】
この状態で、第一の生地１７ａに第一の吊下板１２ａとウェイト板２１ａを挿通する。同様に、第二の生地１７ｂに第二の吊下板１２ｂとウェイト板２１ｂを挿通する。
そして、図９に示すように、第一及び第二の吊下板１２ａ，１２ｂを連結し、ウェイト板２１ａ，２１ｂを連結するとともに、第一及び第二の吊下板１２ａ，１２ｂ及びウェイト板２１ａ，２１ｂを第一及び第二の生地１７ａ，１７ｂの境界部で図６及び図７に示す角度に屈曲する。
【００３６】
この状態で、第一の吊下板１２ａの掛止め部１３をフック７に引っ掛ける。すると、第一及び第二の吊下板１２ａ，１２ｂから第一及び第二の生地１７ａ，１７ｂがほぼＺ字状に吊下支持される。
【００３７】
次に、上記のように構成された縦型ブラインドの作用を説明する。図１に示すように、操作コード１０を操作して各スラット２をハンガーレール１に沿って引き出し、操作棒９の操作により各スラット２を回動させて第一の生地１７ａをハンガーレール１に沿う方向とする。すると、隣り合うスラット２で第一の生地１７ａの端部が重なり合う状態となり、遮光状態となる。
【００３８】
この状態から、操作棒を操作して各スラット２を回動させ、図２に示すように、第一の生地１７ａをハンガーレール１に直交する方向とする。すると、第二の生地１７ｂがハンガーレール１にほぼ沿う方向となるとともに、隣り合うスラット２の第二の生地１７ｂが前後方向に重なり合う位置で吊下支持される状態となり、各スラット２は２枚のレース生地を通して外光を採り入れる半透過状態となる。
【００３９】
また、操作コード１０を操作して先頭ランナーをハンガーレール１の他端側に移動させれば、各スラット２がハンガーレール１の他端側に畳み込まれる。
上記のように構成された縦型ブラインドでは、次に示す作用効果を得ることができる。
（１）スラット２をハンガーレール１に沿って引き出した状態で、回動させることにより、外光の遮断状態と半透過状態とを選択することができる。
（２）１台の縦型ブラインドで、外光の遮断状態と半透過状態とを選択することができる。
（３）外光の遮断状態から半透過状態に順次切り替わるので、スラット回動時に、各スラット２間が素通しとなることはない。
（４）各スラット２の第一の吊下板１２ａと第二の吊下板１２ｂとの挟角が９０度より僅かに大きいので、各スラット２を積層した状態に畳み込むことができる。
（５）第一の吊下板１２ａと第二の吊下板１２ｂとの挟角と同一の挟角を備えたウェイト板２１ａ，２１ｂを第一及び第二の生地１７ａ，１７ｂの下端部に取着したので、第一の生地１７ａと第二の生地１７ｂの上下方向全長に亘って、その挟角を一定とすることができる。
（６）第一の吊下板１２ａと第二の吊下板１２ｂとを、支軸１４と嵌合溝１５により容易に着脱可能にかつ回動可能に連結することができる。
（７）第一及び第二の生地１７ａ，１７ｂにウェイト板２１ａ，２１ｂを、容易に取着することができる。
（８）第一及び第二の吊下板１２ａ，１２ｂと、第一及び第二の生地１７ａ，１７ｂとの組立てを容易に行うことができる。
（９）第一の吊下板１２ａの中間部をフック７で吊下支持するので、第二の吊下板１２ｂに吊下支持される第二の生地１７ｂをバランスよく吊下支持することができる。
（第二の実施の形態）
図１０は、第二の実施の形態を示す。この実施の形態は、第一及び第二の生地１７ａ，１７ｂを縫製等により一枚の生地２３としたものであり、その他の構成は前記第一の実施の形態と同様である。
【００４０】
このような生地２３でスラット２を組み立てるには、生地２３の上端部に形成した袋状部２４に直線状に連結した第一及び第二の吊下板１２ａ，１２ｂを挿通する。また、生地２３の下端部に形成した袋状部２５に直線状に連結した第一及び第二のウェイト板２１ａ，２１ｂを挿通する。
【００４１】
そして、第一及び第二の吊下板１２ａ，１２ｂ及び第一及び第二のウェイト板２１ａ，２１ｂを第一の実施の形態と同様に屈曲し、第一の吊下板１２ａの掛止め部１３をランナー３のフック７に引っ掛ける。
【００４２】
このように構成されたスラット２を備えた縦型ブラインドでは、前記第一の実施の形態と同様な作用効果を得ることができる。
また、第一及び第二の生地１７ａ，１７ｂがあらかじめ一枚の生地２３として接続されていても、第一及び第二の吊下板１２ａ，１２ｂ及び第一及び第二のウェイト板２１ａ，２１ｂを直線状として袋状部２４，２５に挿通することができるので、スラット２を容易に組み立てることができる。
【００４３】
上記実施の形態は、以下の態様で実施してもよい。
・上記各実施の形態において、第一の生地１７ａのいずれか一側にのみ、第二の生地１７ｂを吊下支持する構成としてもよい。
・第一及び第二の生地１７ａ，１７ｂは、色彩や模様が異なる生地で形成してもよい。
・第一の吊下板１２ａとともに、第二の吊下板１２ｂもフック７に吊下支持してもよい。この場合には、第一の吊下板１２ａに加えて第二の吊下板１２ｂを吊下支持できるようにフックの形状を変更する必要がある。
・第二の実施の形態において、第一及び第二の吊下板１２ａ，１２ｂは直線状に一体成形し、第一及び第二の生地１７ａ，１７ｂを挿通後にその接続部分で所定角度に屈曲する構成としてもよい。
【図面の簡単な説明】
【００４４】
【図１】縦型ブラインドを示す正面図である。
【図２】縦型ブラインドを示す平面図である。
【図３】スラットの側面図である。
【図４】スラットの側面図である。
【図５】第一〜第三の吊下板を示す分解斜視図である。
【図６】第一〜第三の吊下板を示す斜視図である。
【図７】第一〜第三のウェイト板を示す斜視図である。
【図８】スラットの組み立て動作を示す正面図である。
【図９】スラットの組み立て動作を示す正面図である。
【図１０】第二の実施の形態のスラット組み立て動作を示す正面図である。
【符号の説明】
【００４５】
１…ハンガーレール、２…スラット、３…ランナー、９…操作装置（操作棒）、１２…スラットハンガー、１２ａ…第一の吊下板、１２ｂ…第二の吊下板、１７ａ…第一の生地、１７ｂ…第二の生地、２１ａ，２１ｂ…ウェイト板。
【図１】
2008045285.tif 000003
【図２】
2008045285.tif 000004
【図３】
2008045285.tif 000005
【図４】
2008045285.tif 000006
【図５】
2008045285.tif 000007
【図６】
2008045285.tif 000008
【図７】
2008045285.tif 000009
【図８】
2008045285.tif 000010
【図９】
2008045285.tif 000011
【図１０】
2008045285.tif 000012